(57)【要約】【課題】映像信号の種別の自動検出における検出条件の設定を変更し、誤検出の生じにくいテレビジョン受像装置を提供する【解決手段】テレビジョン受像装置１は、映像信号切替回路１１と、入力信号検出回路１２と、制御回路１３と、映像信号処理回路１４と、記憶装置１５と、表示デバイス１６とからなり、入力信号検出回路１２によって、受信した映像信号がアナログ放送によるものであると判断した場合には、デジタル放送によるものであると判断した場合よりも、制御回路１３により信号種別検出回路１４ａに命令を送信し、映像信号の検出条件を厳しくないものへと変更する。【選択図】図２
2008005444.tif 000002
【特許請求の範囲】
【請求項１】
映像信号を受信する受信部と、
前記映像信号がアナログ信号であるかデジタル信号であるかを判断する第１の判断部と、
前記映像信号が２：３プルダウン処理の施された信号であるかどうかを判断する第２の判断部と、
前記第１の判断部の判断結果に応じて前記第２の判断部の判断条件の設定を変更する制御部と、を備えることを特徴とするテレビジョン受像装置。
【請求項２】
映像信号を受信する受信部と、
前記映像信号がアナログ信号であるかデジタル信号であるかを判断する第１の判断部と、
前記映像信号が２：３プルダウン処理の施された信号であるかどうかを判断する第２の判断部と、
前記第１の判断部の判断結果に応じて前記第２の判断部の判断条件の設定を変更する制御部と、
前記第２の判断部が、前記映像信号が２：３プルダウン処理の施された信号であると判断したとき、前記映像信号に逆２：３プルダウン処理を施す映像信号変換部と、を備えることを特徴とするテレビジョン受像装置。
【請求項３】
前記制御部は、前記第２の判断部の判断条件の設定として検出時間を変更するものであることを特徴とする請求項１または２記載のテレビジョン受像装置。
【請求項４】
前記制御部は、前記第２の判断部の判断条件の設定として検出感度を変更するものであることを特徴とする請求項１または２記載のテレビジョン受像装置。
【請求項５】
映像信号を受信する受信部と、
前記映像信号がアナログ信号であるかデジタル信号であるかを判断する第１の判断部と、
前記映像信号が２：３プルダウン処理の施された信号であるかどうかを判断する第２の判断部と、
ユーザの選択により画質の表示調整を行なう画質調整部と、
前記第１の判断部の判断結果及び前記画質調整部の画質の表示調整に応じて前記第２の判断部の判断条件の設定を変更する制御部と、を備えることを特徴とするテレビジョン受像装置。
【発明の詳細な説明】
【技術分野】
【０００１】
本発明はテレビジョン受像装置に関し、特に２：３／２：２プルダウン処理における映像信号の種別の誤検出を生じにくくすることのできるテレビジョン受像装置に関する。
【背景技術】
【０００２】
テレビ放送の受信や、ビデオ又はＤＶＤの再生等、テレビジョン受像装置を用いた映像の視聴方法は様々である。また、映像の種類も豊富であり、例えば、映画等の映像を上記方法によりテレビジョン受像装置を用いて視聴することも可能である。
【０００３】
しかし、劇場用映画は、通常１秒間に２４コマの画像から作られているのに対し、日本等で使用されるＮＴＳＣ方式のテレビジョン受像装置は、１秒間に３０フレーム（１フレーム当たり２フィールド）の画像から作られている。そのため、映画における１秒間のコマ数と、テレビジョン受像装置が表示する１秒間のコマ数（フレーム数）が一致せず、そのままではテレビジョン受像装置において映画の映像を表示することができない。
【０００４】
このような問題に対しては、映像信号の作成時に２：３プルダウン処理を行い、１秒当たり２４コマの映像を３０コマの映像に変換することで、テレビジョン受像装置における映画の視聴を可能にしている。また、ＰＡＬ方式におけるテレビジョン受像装置においては、２：２プルダウン処理を行い、同様に映画の映像の表示を可能にしている。
【０００５】
更に、２：３プルダウン処理等の行なわれた映像信号を受信し、ＩＰ変換する際には、逆２：３プルダウン処理を行なう必要があり、テレビジョン受像装置には逆２：３プルダウン処理を行なう機能が搭載されている。
【０００６】
もっとも、テレビジョン受像装置で表示される映像は映画に限られず、様々な映像が表示される。そのため、逆２：３プルダウン処理等を行なう必要のある映像信号と処理の不要な映像信号といったように、種別の異なる映像信号が混在していることもある。このような場合には、逆２：３プルダウン処理をするかしないかの切替が必要となる。
【０００７】
逆２：３プルダウン処理をするかしないかの切替については、受信した映像信号の種別を自動で検出して判断するものがある（例えば、特許文献１参照）。
【特許文献１】特開２００５−２６８８５号公報
【発明の開示】
【発明が解決しようとする課題】
【０００８】
しかしながら、特許文献１におけるテレビジョン受像装置によると、映像信号の種別を自動検出するとき、その映像信号がアナログ信号であると、アナログ信号にノイズが重畳してフィールド間の映像信号の差別化が困難になって、誤検出を起こすおそれがある。その結果、２：３プルダウン処理のされていない映像に対して、逆２：３プルダウン処理を実行してしまうことがあり、「歯抜け」や「ギザつき」を生じて画質劣化するという問題がある。
【０００９】
従って本発明は、以上の問題点に鑑み、映像信号の種別を自動検出する際の検出条件設定を変更し、誤検出の生じにくいテレビジョン受像装置を提供することを目的とする。
【課題を解決するための手段】
【００１０】
本発明は、上記目的を達成するため、映像信号を受信する受信部と、前記映像信号がアナログ信号であるかデジタル信号であるかを判断する第１の判断部と、前記映像信号が２：３プルダウン処理の施された信号であるかどうかを判断する第２の判断部と、前記第１の判断部の判断結果に応じて前記第２の判断部の判断条件の設定を変更する制御部と、を備えることを特徴とするテレビジョン受像装置を提供するものである。
【００１１】
また、本発明は、映像信号を受信する受信部と、前記映像信号がアナログ信号であるかデジタル信号であるかを判断する第１の判断部と、前記映像信号が２：３プルダウン処理の施された信号であるかどうかを判断する第２の判断部と、前記第２の判断部が、前記映像信号が２：３プルダウン処理の施された信号であると判断したとき、前記映像信号に逆２：３プルダウン処理を施す映像信号変換部と、前記第１の判断部の判断結果に応じて前記第２の判断部の判断条件の設定を変更する制御部と、を備えることを特徴とするテレビジョン受像装置を提供するものでもある。
【００１２】
上記発明によれば、映像信号がアナログ放送によるものかデジタル放送によるものかにより映像の種別の検出条件設定を変更することができ、映像信号が２：３プルダウン処理等のされたものか否かの誤検出を生じにくくすることができる。
【００１３】
また、本発明は、映像信号を受信する受信部と、前記映像信号がアナログ信号であるかデジタル信号であるかを判断する第１の判断部と、前記映像信号が２：３プルダウン処理の施された信号であるかどうかを判断する第２の判断部と、ユーザの選択により画質の表示調整を行なう画質調整部と、前記第１の判断部の判断結果及び前記画質調整部の画質の表示調整に応じて前記第２の判断部の判断条件の設定を変更する制御部と、を備えることを特徴とするテレビジョン受像装置を提供する。
【００１４】
上記発明によれば、ユーザの選択により映像の種別の検出条件の設定を変更することができ、映像信号が２：３プルダウン処理等のされたものか否かの誤検出を生じにくくすることができる。
【発明の効果】
【００１５】
本発明によれば、入力された映像信号が２：３プルダウン処理のなされたものか否かについての誤検出を防止することができ、画質劣化を生じにくくすることができる。
【発明を実施するための最良の形態】
【００１６】
以下、図面を参照しながら本発明の実施の形態について説明する。
【００１７】
（システムの構成）
図１は、本発明に係るテレビジョン受像装置を含む映像受像システムの外観を示す図である。
【００１８】
映像受像システムは、本発明にかかるテレビジョン受像装置１と、テレビ放送の電波を受信するためのデジタル用アンテナ２ａ、アナログ用アンテナ２ｂと、外部装置３とからなる。
【００１９】
テレビジョン受像装置１は、放送局から送信されるテレビ放送電波を受信し、当該電波に含まれる映像信号に基づきテレビ画像を表示するものである。
【００２０】
デジタル用アンテナ２ａは、放送用電波のうちデジタル放送に係る電波を受信するためのものであり、アナログ用アンテナ２ｂは、放送用電波のうちアナログ放送に係る電波を受信するためのものである。なお、図１においては、両アンテナを別個のものとして記載しているが、デジタル放送とアナログ放送の双方を受信する１のアンテナを用いたものであってもよい。また、図１におけるアンテナとしては、地上波放送用の八木アンテナを一例として表示しているが、衛星放送用のパラボラアンテナであってもよく、更に、双方のアンテナを備え持つものであってもよい。
【００２１】
（第１の実施の形態：テレビジョン受像装置の構成）
本発明に係るテレビジョン受像装置は、映像の種別を自動検出する際に検出条件の設定変更が可能なテレビジョン受像装置であるが、当該検出条件の設定変更の方法について２通りの方法を提言する。以下、それぞれの実施の形態について説明する。
【００２２】
第１の実施の形態は、映像ソースが、アナログ放送であるか、デジタル放送であるか、或いは外部機器であるかにより、検出条件の設定を変更するものである。
【００２３】
図２は、本発明に係るテレビジョン受像装置１の第１の実施の形態における内部構成を示すブロック図である。
【００２４】
テレビジョン受像装置１は、映像信号切替回路１１と、入力信号検出回路１２と、制御回路１３と、映像信号処理回路１４と、記憶装置１５と、表示デバイス１６とからなる。また、テレビジョン受像装置１には、デジタル用アンテナ２ａと、アナログ用アンテナ２ｂと、外部機器３とが接続されている。
【００２５】
映像信号切替回路１１は、表示デバイス１６で表示する映像に係る映像信号の入力先を、映像信号切替回路１１に接続されたデジタル用アンテナ２ａ、アナログ用アンテナ２ｂ、外部機器３のうちのいずれかに切り替えるためのものである。
【００２６】
入力信号検出回路１２は、映像信号切替回路１１に入力された映像信号が、デジタル放送によるものか、アナログ放送によるものか、或いは外部機器３から入力されたものかの検出を行うためのものである。
【００２７】
制御回路１３は、入力信号検出回路１２の検出結果に基づいて、映像信号処理回路１４における映像信号の種別の検出条件の設定を変更するための制御を行うためのものである。
【００２８】
映像信号処理回路１４は、信号種別検出回路１４ａと、映像信号変換回路１４ｂとからなる。信号種別検出回路１４ａは、制御回路１３の制御により設定された検出条件により映像信号の種別の検出を行うものである。また、映像信号変換回路１４ｂは、映像信号切替回路１１を介して入力した映像信号に対して、必要に応じてＩＰ変換処理や、逆２：３プルダウン処理を行なうためのものである。
【００２９】
記憶装置１５は、信号種別検出回路１４ａにおける映像信号の種別の検出条件の設定に対する複数の検出条件からなる検出条件設定テーブル等のデータを格納しておくためのものであり、信号種別検出回路１４ａは、制御回路１３の制御による設定に対応する検出条件を、当該検出条件設定テーブルより読込み、それを用いて映像信号の種別の検出を行なう。
【００３０】
表示デバイス１６は、入力した映像信号に係る映像を表示するためのものである。
【００３１】
映像信号切替回路１１の信号入力先の切替により、デジタル用アンテナ２ａ、アナログ用アンテナ２ｂ、外部機器３のうちの選択された入力先より映像信号が入力されると、当該映像信号は入力信号検出回路１２と映像信号処理回路１４とに送信される。
【００３２】
入力信号検出回路１２は、映像信号の入力先がデジタル用アンテナ２ａ、アナログ用アンテナ２ｂ、外部機器３のいずれであるかを検出し、その結果を制御回路１３に送信し、制御回路１３において映像信号の種別を検出する条件の設定が変更される。
【００３３】
映像信号処理回路１４は、制御回路１３により検出条件の設定が変更されると、記憶装置１５から読み込んだ設定条件等に基づき、映像信号切替回路１１より受信した映像信号の種別の検出を行う。そして、映像信号が２：３プルダウン既処理のもの、即ち映画の映像信号であると検出した場合には、逆２：３プルダウン処理を行い、映像信号が２：３プルダウン未処理のものであると検出した場合には、通常のＩＰ変換処理を行なう。
【００３４】
（逆２：３プルダウン処理）
次に、逆２：３プルダウン処理について図３から図５を用いて説明する。なお、本発明に係るテレビジョン受像装置１は、逆２：３プルダウン処理だけでなく逆２：２プルダウン処理についても同様の機能を有するものであるが、以下の説明においては逆２：３プルダウン処理を例にして説明するものとする。
【００３５】
図３は、通常の映像信号におけるインターレース方式の映像を表示する際の処理の例を示す図である。
【００３６】
映画を除く通常のテレビ放送等の映像信号においては、日本等におけるＮＴＳＣ方式の場合には垂直走査周波数が６０Ｈｚであるため、１秒当たり６０フィールドよりなる。更に、インターレース方式の映像においては、飛び越し走査がなされるため、１つのフィールドにおいては全画像のうちの半分のデータしか表示ができないため、２つのフィールドを合わせて１つのフレームを形成することになる。
【００３７】
図３（ａ）に示すように、例えばある映像におけるＡのフレームは、当該フレームにおける奇数本目の走査線を表示するフィールド（ＡＯ）と、偶数本目の走査線を表示するフィールド（ＡＥ）とからなる。インターレース方式においては、それを順次画面上に表示することにより、１つのフレームの表示がなされることになる。
【００３８】
また、プログレッシブ方式のテレビジョン受像装置においては、１つのフィールドにおいて全画面の表示が可能であるので、図３（ｂ）に示すようにインターレース方式による２つのフィールドを合成した上で、得られた画像を、２つのフィールドで連続して表示することになる。例えばある映像のＡのフレームにおける奇数本目の走査線を表示するフィールド（ＡＯ）と、偶数本目の走査線を表示するフィールド（ＡＥ）とを合成し、１個のＡのフィールドを作成し、それを２回連続して表示することになる。
【００３９】
一方、映画の映像においては、１秒あたりのコマ数が２４個であるため、そのままテレビジョン受像装置で表示することはできない。そこで、ＮＴＳＣ方式の場合、１つ目のコマより２つのフィールドを作成し、次のコマより３つのフィールドを作成し、これを繰り返すという、２：３プルダウン処理を行なう必要がある。
【００４０】
図４は、２：３プルダウン処理及び逆２：３プルダウン処理の一例を示す図である。
【００４１】
図４において、映画の映像信号に対して２：３プルダウン処理を行なうと、例えばＡのコマについては２つのインターレース方式のフィールドが得られ、Ｂにコマについては３つのフィールドが得られることになる。
【００４２】
このようにして得られたインターレース方式の映像信号に基づき、プログレッシブ方式による再生を行なう際には、図４に示すような逆２：３プルダウン処理による合成を行なう必要がある。即ち、１つのコマに対応するフィールドが必ずしも偶数ではないので、インターレース方式の映像信号におけるフィールドを、２つずつ順番に組み合わせることができない箇所が現れるので、その部分につき調整を行なう必要があるのである。
【００４３】
逆２：３プルダウン処理は、予め２：３プルダウン処理のされた映像信号に対してのみ行なわれる必要があり、２：３プルダウン処理のされていない映像信号に対して処理を行なってしまうと、いわゆる「歯抜け」や「ギザつき」の生じた画像が表示されてしまうことがある。
【００４４】
図５は、２：３プルダウン処理のされていない映像信号に対して逆２：３プルダウン処理を行った場合の例である。
【００４５】
この場合、例えば、Ｂのコマの偶数本目のフィールド（ＢＥ）と、Ｃのコマの奇数本目のフィールド（ＣＯ）など、本来異なるコマから作成されたフィールド同士を合成してしまうことになる。このようなフィールドと、特に問題なく合成されたフィールドとが得られ、これにより「歯抜け」や「ギザつき」等が発生するのである。
【００４６】
（逆２：３プルダウン処理の有無の判断）
上記のような処理を起こさなくするためには、入力された映像信号が２：３プルダウン処理のされた信号であるか否かを的確に判断する必要がある。
【００４７】
その判断のためには、奇数側または偶数側の走査線のフィールド同士の画像を比較し、その変化から、２：３プルダウン処理のされた信号であるか否かが判断されることになる。
【００４８】
図６は、デジタル放送による映像信号とアナログ放送による映像信号のそれぞれにおける、２：３プルダウン処理のされた信号か否かの判断をする様子を示す図である。
【００４９】
図６（ａ）は、デジタル放送による映像信号であって２：３プルダウン処理のされていない信号について判断する様子を示している。２：３プルダウン処理のされていない信号の場合、各フィールドの信号は全て異なるコマより作成されたものである。
【００５０】
一方、図６（ｂ）は、デジタル放送による映像信号であって２：３プルダウン処理のされた信号について判断する様子を示しているが、２：３プルダウン処理のされた信号の場合、図６（ｂ）におけるＢＯのフィールドやＤＥのフィールドのように同一のコマより作成されたフィールドが混在することになる。
【００５１】
従って、前後のフィールドを比較し、各フィールドの動きの検出を行うことで、映像信号が２：３プルダウン処理の施された信号であるか否かを判断することが可能となる。
【００５２】
例えば、図６（ａ）においては８フィールド分の期間（ｔ１）の検索により、各フィールドが「２−２−２−２」の組み合わせになっていることがわかるので、映像信号は２：３プルダウン処理の施されていない信号であると判断される。一方、図６（ｂ）においては１０フィールド分の期間（ｔ２）を検索すると、「ＢＯ」や「ＤＥ」などの同一のフィールドの存在により各フィールドが「２−３−２−３」の組み合わせになっていることがわかるので、映像信号は２：３プルダウン処理の施された信号であると判断される。
【００５３】
しかしながら、映像信号がデジタル放送によるもの、或いは外部機器から送信されたものである場合には、当該映像信号に含まれるノイズの量は極めて少ないが、アナログ放送によるものであった場合には、多くのノイズを含むことがある。特に映像信号の電界強度が弱い場合には、ノイズの割合が大きくなる。
【００５４】
図６（ｃ）は、アナログ放送による映像信号であって２：３プルダウン処理のされていない信号について、（ｄ）は、アナログ放送による映像信号であって２：３プルダウン処理のされた信号について判断する様子をそれぞれ示している。いずれも、各フィールドにノイズが混入している。
【００５５】
そのため、前後のフィールドを比較し、各フィールドの動きの検出を行っても、正確に映像信号が２：３プルダウン処理のされた信号であるか否かを判断することができるとは限らない。
【００５６】
例えば、図６（ｃ）においては、（ａ）と同じ８フィールド分の期間（ｔ１）の検索によっても、各フィールドが「２−２−２−２」の組み合わせになっていると判断できるとは限らない。また、図６（ｄ）においては、（Ｂ）と同じ１０フィールド分の期間（ｔ２）の検索によっても、各フィールドが「２−３−２−３」の組み合わせになっていると判断できるとは限らない。
【００５７】
そして、判断を誤ったときには誤検出となり、その結果、「歯抜け」や「ギザつき」等の画質劣化が生じることとなる。
【００５８】
そこで、映像信号がアナログ放送によるものである場合には、デジタル放送によるものや外部機器から送信されたものである場合よりも、検出精度を高める必要がある。検出精度を高めるためには、通常の場合と検出条件の設定を変更することとなるが、検出条件の設定の変更は、具体的には検出時間を変更することや、検出感度を変更すること等が上げられる。
【００５９】
（第１の実施の形態における映像信号処理）
次に、本発明に係るテレビジョン受像装置１の第１の実施の形態における、映像信号処理について、フローチャートを参照しつつ説明する。
【００６０】
図７は、テレビジョン受像装置１が映像信号を受信し、映像信号処理を行なう際の動作を示すフローチャートである。
【００６１】
最初に、映像信号切替回路１１が映像信号を受信する（ステップＳ１０１）。映像信号を受信すると、入力信号検出回路において当該映像信号がアナログ放送によるものか否かの判断が行なわれる（ステップＳ１０２）。
【００６２】
映像信号がアナログ放送によるものであると判断した場合には（Ｓ１０２：Ｙｅｓ）、制御回路１３において映像信号の種別の自動検出における検出条件の設定を変更する（ステップＳ１０３）。設定の変更に際しては、映像信号処理回路１４は、記憶装置１５から設定値等の情報を取得する。一方、映像信号がアナログ放送によるものでなく、デジタル放送によるもの或いは外部機器からのものであると判断した場合には（Ｓ１０２：Ｎｏ）、検出条件の設定は変更しない。
【００６３】
次に、映像信号処理回路１４において、映像信号の種別の検出を行う（ステップＳ１０４）。そして、検出結果が２：３プルダウン既処理の映画の映像信号であるか否かの判断を行なう（ステップＳ１０５）。
【００６４】
映像信号が映画の映像信号であると判断した場合には（Ｓ１０５：Ｙｅｓ）、映像信号処理回路１４において逆２：３プルダウン処理を行なう（ステップＳ１０６）。一方、映像信号が映画の映像信号でないと判断した場合には（Ｓ１０５：Ｎｏ）、逆２：３プルダウン処理は行なわない。
【００６５】
（第１の実施の形態の効果）
上記した第１の実施の形態の効果によると、入力信号検出回路１２と制御回路１３とを備えたことにより、映像信号がアナログ放送によるものかデジタル放送によるものかにより映像信号の種別の検出条件の設定を変更することができ、映像信号が２：３プルダウン処理のされたものか否かの誤検出を生じにくくすることができる。
【００６６】
（第２の実施の形態：液晶受像装置の構成）
本発明に係るテレビジョン受像装置における第２の実施の形態は、ユーザの選択に応じて映像信号の種別の検出条件の設定を変更するものである。
【００６７】
図８は、本発明に係るテレビジョン受像装置１の第２の実施の形態における内部構成を示すブロック図である。
【００６８】
テレビジョン受像装置１は、映像信号切替回路１１と、入力信号検出回路１２と、制御回路１３と、映像信号処理回路１４と、記憶装置１５と、表示デバイス１６と、ＯＳＤ選択メニュー１７とからなる。また、テレビジョン受像装置１には、デジタル用アンテナ２ａと、アナログ用アンテナ２ｂと、外部機器３とが接続されている。
【００６９】
映像信号切替回路１１、入力信号検出回路１２、制御回路１３、映像信号処理回路１４、記憶装置１５、表示デバイス１６は、上述した第１の実施の形態と同様のものである。
【００７０】
ＯＳＤ選択メニュー１７は、表示デバイス１６による画像表示について、ユーザが画面上の表示に基づいて設定を行なうためのメニューである。
【００７１】
（ＯＳＤ表示メニュー）
次に、ＯＳＤ表示メニューを用いた映像信号の種別の検出条件の設定変更について説明する。
【００７２】
図９は、本発明に係るテレビジョン受像装置１のＯＳＤ選択メニュー１７における、画像選択メニューの表示例である。
【００７３】
テレビジョン受像装置１には、表示される映像の色合い等を調整する機能が搭載されており、ユーザは、画面上に表示されるＯＳＤ選択メニュー１７を介して、かかる色合いの調整を行なうことができる。図９（ａ）は、画面上に表示される映像の種類に応じて最適な色合いに調整するための調整メニューの表示例である。
【００７４】
本発明にかかるテレビジョン受像装置１は、ＯＳＤ選択メニュー１７による色合い調整の際に、併せて映像信号の種別の検出条件の設定の変更を行なうことができる。
【００７５】
図９（ａ）においては、色合い調整の選択肢として「標準」、「シネマ」、「ドラマ」、「スポーツ」、「静止画」の５つが表示されており、ユーザはこれを参照しつつリモコン等を用いて１つを選択し、それにより予め設定された色合いに調整されることになる。
【００７６】
ここで、図９（ａ）に描かれた選択肢のうち、「シネマ」を選択された場合、ユーザは、映画の映像を視聴する可能性が高いことになるが、他の選択肢が選択された場合には、映画の映像を視聴する可能性が低いことになる。
【００７７】
そこで、「シネマ」が選択された場合に限り、２：３プルダウン処理がなされた映像信号であることを検出しやすくなるように検出条件を設定し、それ以外が選択された場合には、２：３プルダウン処理がなされた映像信号であることを極めて検出しにくくするように検出条件を設定することができる。
【００７８】
また、図９（ｂ）は、映像信号の種別の検出条件レベルを、ユーザが直接設定する場合の設定画面の表示例である。
画面上に映像信号の種別の検出条件の複数のレベル（図９（ｂ）においては５段階）が表示されており、ユーザはその中から検出条件のレベルを選択すると、それに応じた映像信号の種別の検出条件に設定がされることになる。
【００７９】
（第２の実施の形態における映像信号処理）
次に、本発明に係るテレビジョン受像装置１の第２の実施の形態における、映像信号処理について、フローチャートを参照しつつ説明する。
【００８０】
図１０は、テレビジョン受像装置１が映像信号を受信し、映像信号処理を行なう際の動作を示すフローチャートである。
【００８１】
最初に、映像信号切替回路１１が映像信号を受信する（ステップＳ１１１）。映像信号を受信すると、入力信号検出回路において当該映像信号がアナログ放送によるものか否かの判断が行なわれる（ステップＳ１１２）。
【００８２】
映像信号がアナログ放送によるものであると判断した場合には（Ｓ１１２：Ｙｅｓ）、続いて、ユーザによる映像信号の種別の検出条件の設定変更が、表示する映像種類による色合い調整によりなされたか否かの判断を行なう（ステップＳ１１３）。
【００８３】
表示する映像種類による色合い調整によりユーザによる映像信号の種別の検出条件の設定変更がなされたと判断した場合には（Ｓ１１３：Ｙｅｓ）、制御回路１３において、映像信号の種別の自動検出における検出条件の設定を当該色合い調整に対応したものに変更する（ステップＳ１１４）。設定の変更に際しては、映像信号処理回路１４は、記憶装置１５から設定値等の情報を取得する。一方、表示する映像種類による色合い調整によりユーザによる映像信号の種別の検出条件の設定変更がされていないと判断した場合には（Ｓ１１３：Ｎｏ）、続いて、ユーザによる映像信号の種別の検出条件の設定変更が、検出感度レベルの設定によりなされたか否かの判断を行なう（ステップＳ１１５）。
【００８４】
検出感度レベルの設定によりユーザによる映像信号の種別の検出条件の設定変更がなされたと判断した場合には（Ｓ１１５：Ｙｅｓ）、制御回路１３において、映像信号の種別の自動検出における検出条件の設定を当該感度レベルに対応したものに変更する（ステップＳ１１６）。
【００８５】
一方、映像信号がアナログ放送によるものでなく、デジタル放送によるもの或いは外部機器からのものであると判断した場合と（Ｓ１１２：Ｎｏ）、検出感度レベルの設定によりユーザによる映像信号の種別の検出条件の設定変更がされていないと判断した場合には（Ｓ１１５：Ｎｏ）、検出条件の設定は変更しない。
【００８６】
次に、映像信号処理回路１４において、映像信号の種別の検出を行う（ステップＳ１１７）。そして、検出結果が２：３プルダウン既処理の映画の映像信号であるか否かの判断を行なう（ステップＳ１１８）。
【００８７】
映像信号が映画の映像信号であると判断した場合には（Ｓ１１８：Ｙｅｓ）、映像信号処理回路１４において逆２：３プルダウン処理を行なう（ステップＳ１１９）。一方、映像信号が映画の映像信号でないと判断した場合には（Ｓ１１８：Ｎｏ）、逆２：３プルダウン処理は行なわない。
【００８８】
（第２の実施の形態の効果）
上記した第２の実施の形態の効果によると、制御回路１３とＯＳＤ選択メニュー１７とを備えたことにより、ユーザの選択により映像信号の種別の検出条件の設定を変更することができ、映像信号が２：３プルダウン処理のされたものか否かの誤検出を生じにくくすることができる。
【図面の簡単な説明】
【００８９】
【図１】本発明に係るテレビジョン受像装置を含む映像受像システムの外観を示す図である。
【図２】本発明に係るテレビジョン受像装置１の第１の実施の形態における内部構成を示すブロック図である。
【図３】（ａ）、（ｂ）は、通常の映像信号におけるインターレース方式の映像を表示する際の処理の例を示す図である。
【図４】２：３プルダウン処理及び逆２：３プルダウン処理の一例を示す図である。
【図５】２：３プルダウン処理のされていない映像信号に対して逆２：３プルダウン処理を行った場合の例である。
【図６】（ａ）〜（ｄ）は、デジタル放送による映像信号とアナログ放送による映像信号のそれぞれにおける、２：３プルダウン処理のされた信号か否かの判断をする様子を示す図である。
【図７】テレビジョン受像装置１が映像信号を受信し、映像信号処理を行なう際の動作を示すフローチャートである。
【図８】本発明に係るテレビジョン受像装置１の第２の実施の形態における内部構成を示すブロック図である。
【図９】（ａ）、（ｂ）は、本発明に係るテレビジョン受像装置１のＯＳＤ選択メニュー１７における、画像選択メニューの表示例である。
【図１０】テレビジョン受像装置１が映像信号を受信し、映像信号処理を行なう際の動作を示すフローチャートである。
【符号の説明】
【００９０】
１、テレビジョン受像装置  ２ａ、デジタル用アンテナ  ２ｂ、アナログ用アンテナ
３、外部機器  １１、映像信号切替回路  １２、入力信号検出回路  １３、制御回路
１４、映像信号処理回路  １４ａ、信号種別検出回路  １４ｂ、映像信号変換回路
１５、記憶装置  １６、表示デバイス  １７、ＯＳＤ選択メニュー
【図１】
2008005444.tif 000003
【図２】
2008005444.tif 000004
【図３】
2008005444.tif 000005
【図４】
2008005444.tif 000006
【図５】
2008005444.tif 000007
【図６】
2008005444.tif 000008
【図７】
2008005444.tif 000009
【図８】
2008005444.tif 000010
【図９】
2008005444.tif 000011
【図１０】
2008005444.tif 000012